(57)【要約】  【課題】フィルムホルダの紛失や破損を防ぐとともに、フィルムホルダの着脱する際の作業性を向上させ、フィルムホルダの重量により原稿の浮きを軽減する。  【解決手段】透過原稿を読み取ることができ、かつ反射原稿を読み取るために圧着シートを有する画像読取装置において、透過原稿を保持するフィルムホルダ２２１をスポンジフレーム２２ａに取り付けて収納し、圧着シート２２をスポンジフレーム２２ａで保持するとともに透過原稿用光源ユニット２１ａから取り外し可能にする。【選択図】                図１２
2006078717.tif 000002
【特許請求の範囲】
【請求項１】
透過原稿を読み取ることができ、かつ反射原稿を読み取るために圧着シートを有する画像読取装置において、
前記透過原稿を保持するフィルムホルダをスポンジフレームに取り付けて収納することを特徴とする画像読取装置。
【請求項２】
前記圧着シートは前記スポンジフレームに保持されていることを特徴とする請求項１に記載の画像読取装置。
【請求項３】
前記圧着シートは透過原稿用光源ユニットから取り外し可能であることを特徴とする請求項１又は２に記載の画像読取装置。
【請求項４】
複数種類のフィルムホルダのうち少なくとも１つを前記スポンジフレームに取り付けることを特徴とする請求項１〜３のいずれか１項に記載の画像読取装置。
【請求項５】
原稿を載置する原稿台と、前記原稿台に対して開閉可能に支持され、前記原稿台に載置された原稿を押圧するスポンジを着脱可能に備えた圧板と、前記原稿台に載置された原稿の画像を読み取る読取手段と、透過原稿を前記原稿台にセットするために、前記透過原稿を保持した状態で前記原稿台に載置されるフィルムホルダを前記スポンジに着脱可能に保持する保持手段と、を有することを特徴とする画像読取装置。
【請求項６】
シートに画像を形成する画像形成部と、請求項５に記載の画像読取装置とを備えた画像形成装置。
【発明の詳細な説明】
【技術分野】
【０００１】
本発明は、透過原稿を読み取ることができ、反射原稿を読み取るための圧着シートを有する画像読取装置に関する。
【背景技術】
【０００２】
例えばファクシミリ、複写機、複合機などの機能を備えた画像読取装置として、透過原稿を読み取ることができ、反射原稿を読み取るための圧着シートを有するものが使用されている。この種の画像読取装置においては、透過原稿であるフィルムを保持するためのフィルムホルダの収納スペースを設けていない構成のもの（例えば特許文献１）や、前記フィルムホルダを透過原稿用光源ユニット（ＦＡＵ）に取り付けて収納する構成のものが使用されている。
【特許文献１】特開２００３−０７５９４４号公報
【発明の開示】
【発明が解決しようとする課題】
【０００３】
しかし、上記のようなレイアウトを有する従来の画像読取装置においては、以下のような解決すべき技術的課題があった。すなわち、フィルムホルダの収納スペースを設けていない場合は、フィルムホルダを紛失したり破損したりする可能性があり、また、性能低下の原因となるフィルムホルダの変形が発生しやすくなる。一方、フィルムホルダを透過原稿用光源ユニットに収納する場合は、透過原稿用光源ユニットを開けた状態でフィルムホルダの着脱操作を行う必要があり、操作性はあまり良くない。また、圧着シートを保持するためのスポンジフレームの裏面に空洞ができるため、反射原稿読み取りの際に原稿中央部の圧着力が弱くなり原稿浮きの原因になることがある。
【０００４】
本発明はこのような技術的課題に鑑みてなされたものであり、本発明の目的は、フィルムホルダの紛失や破損を防ぐことができ、フィルムホルダの着脱する際の作業性が良く、フィルムホルダの重量により原稿の浮きを軽減することができる画像読取装置を提供することである。
【課題を解決するための手段】
【０００５】
本発明は、上記目的を達成するため、透過原稿を読み取ることができ、かつ反射原稿を読み取るために圧着シートを有する画像読取装置において、前記透過原稿を保持するフィルムホルダをスポンジフレームに取り付けて収納することを特徴とする。
上記構成においては、前記圧着シートは前記スポンジフレームに保持されている構成、前記圧着シートは透過原稿用光源ユニットから取り外し可能である構成、あるいは、複数種類のフィルムホルダのうち少なくとも１つを前記スポンジフレームに取り付ける構成を採ることが好ましい。
【０００６】
別の本発明に係る画像読取装置は、上記目的を達成するため、原稿を載置する原稿台と、前記原稿台に対して開閉可能に支持され、前記原稿台に載置された原稿を押圧するスポンジを着脱可能に備えた圧板と、前記原稿台に載置された原稿の画像を読み取る読取手段と、透過原稿を前記原稿台にセットするために、前記透過原稿を保持した状態で前記原稿台に載置されるフィルムホルダを前記スポンジに着脱可能に保持する保持手段と、を有することを特徴とする。
【発明の効果】
【０００７】
本発明によれば、透過原稿を保持するフィルムホルダをスポンジフレームに取り付けて収納するので、フィルムホルダの紛失や破損を防ぐことができ、フィルムホルダの着脱する際の作業性が良く、フィルムホルダの重量により原稿の浮きを軽減することができる画像読取装置が提供される。
【発明を実施するための最良の形態】
【０００８】
以下、図面を参照して本発明の実施形態を具体的に説明する。なお、各図面を通して同一符号は同一又は対応部分を示すものである。また、参照番号にアルファベットを付した符号は、アルファベットを付さない番号のみの部位を構成する下位の部位を示すものである。図１は本発明の一実施形態に係る画像読取装置の模式的斜視図であり、図２は図１の画像読取装置の縦断面図である。図１及び図２において、画像読取装置は、パネル部１、スキャナー部２、記録部３、電気基板部４及びカードスロット部５を備えている。なお、本実施形態に係る画像読取装置は、記録部を有することから、画像読取記録装置と称することもできる。
【０００９】
まず、パネル部１について説明する。図３はパネル部１の模式的斜視図であり、図４は図３のパネル部においてＬＣＤユニット１２を立てた状態を示す模式的斜視図である。図５はパネル部１のＬＣＤの回動ストッパを示すための模式的斜視図であり、図６は図５のパネル部１のＬＣＤの回動ストッパを別の角度から見た模式的斜視図である。図７は図３のパネル部の十字キー１３の模式的斜視図であり、図８は図７の十字キーの模式的分解斜視図である。図９はパネル部１のＬＣＤユニット１２を立てたときの平面図である。
【００１０】
パネル部１は全体としてスキャナ部２に装着されている。パネル部１は、回動可能なＬＣＤユニット１２の両側にパネルカバー左１１ａとパネルカバー右１１ｂを設けた構成を有し、各パネルカバー１１ａ、１１ｂには各種のキー１３が設けられている。すなわち、カラースタートキー１３ａ、モノクロスタートキー１３ｂ、ストップキー１３ｃ、十字キー１３ｄ、モードキー（機能キー）１３ｅ、電源キー１３ｆ、ファンクションキー１３ｇが、上面から操作可能にパネルカバー１１中に組み込まれている。パネル部１の裏面にはパネル基板１６ａ、１６ｂ（図５）が設けられ、該パネル基板には不図示のタクトスイッチ１３が半田付け等で固定されている。ＬＣＤユニット１２には、不図示のＬＣＤモジュールと電気基板が内蔵されており、その表面には透明部材のＬＣＤ窓１２ａが設けられている。
【００１１】
ＬＣＤユニット１２は、パネルカバー１１に対し、ヒンジ１２ｂを中心に回動可能に装着され、ユーザが操作することができる。図４に示すように、ＬＣＤユニット１２の水平面に対する開閉角度は最大で１１０度程度に設定してある。この開閉の状態におけるストッパは、ＬＣＤユニットの両側のストッパリブ１２ｃ（図５）とパネルカバー１１の対応位置に設けられたストッパ溝１１ｃ（図６）が衝当することで、前記角度を維持する。ＬＣＤ１２を開いた状態では、該ＬＣＤとパネルカバー１１との間に図９中に示すようなわずかな隙間１１ｄが生じるように設計されている。そのため、ＬＣＤユニット１２を１１０度以上開けようと無理に引っ張ると、前記ストッパ１２ｃ、１１ｃが壊れる前に隙間１１ｄを形成していた対向部が当接するようになっている。また、通常の状態では、隙間１１ｄ部は約１ｍｍ程度であり、開閉によるキズが生じない構造になっている。
【００１２】
図７及び図８において、十字キー１３ｄはキャップ部１３ｄ−１とベース部１３ｄ−２からなる二重構造になっている。キャップ部１３ｄ−１には塗装が施してあり、ベース部１３ｄ−２に塗装を施していない。二重構造にする理由は、もし両方を一体的に作った場合には塗装を施さない外観部に塗料がかからないようにマスキングをしなければならず、製造工程が煩雑になるからである。キャップ部１３ｄ−１とベース部１３ｄ−２は軽い圧入で嵌合して組み立てられる。
【００１３】
次に、スキャナ部２について説明する。図１０は原稿をセットするときのスキャナ部２を示す模式的斜視図である。図１０において、原稿は原稿台であるガラス２３の上面に裏向きにセットされる。ガラス２３はカバー１２５によりスキャナフレーム１２０に上から抑えて組み付けられている。ガラス２３上の原稿の浮きを抑えるための圧板２１にはスポンジフレーム２２ａが取り付けられ、該スポンジフレーム２２ａにはスポンジ及び白色シートからなる圧板白シート２２が取り付けられている。この圧板白シート２２は反射原稿を読み取るための圧着シートを構成するものである。これらが組み付けられた圧板２１は、ヒンジ１２４を介して、スキャナフレーム１２０の一端部に取り付けられている。
【００１４】
図１１は図１０のスキャナ部２においてガラス２３及びカバー１２５を外してスキャナ内部の構造がわかるようにした模式的斜視図である。図１１において、スキャナ部２のＣＣＤ読取ユニット２４は、図示の左端の位置から図示の右端の位置の間でスキャン移動可能に案内支持されている。スキャナ部２の内部構成部品は、すべてがスキャナフレーム１２０に取り付けられている。原稿の画像を読取る読取手段であるＣＣＤ読取ユニット２４は、軸２５とレール１２１に沿って案内されて往復移動する。また、ＣＣＤ読取ユニット２４は、不図示のモータを駆動源として、駆動ギア部１２２で減速され、タイミングベルト２６を介して駆動される。タイミングベルト２６は駆動ギア部１２２の反対側に配設されたプーリ（不図示）掛けられている。こうして、コピーするとき、あるいはＰＣからの指令でスキャン動作をするときに、ＣＣＤ読取ユニット２４が矢印Ｂの方向に駆動され、これに同期してガラス２３を介して原稿の画像が読み取られる。
【００１５】
次に、透過原稿であるフィルムを読取る時の動作について説明する。スポンジフレーム２２ａは保持手段である保持片２ａによって圧板２１に対し取り外し可能に装着されている。また、圧板２１の一部には、透過原稿用光源ユニットである面発光部２１ａが設けられている。図１２は、図１０のスキャナ部２において、スポンジフレーム２２ａを取り外し、圧板２１の一部である面発光部２１ａを露出させた状態を示す模式的斜視図である。このように、スポンジフレーム２２ａを取り外し可能にするとともに、圧板２１に面発光部２１ａを設ける理由は、フィルム等の透過原稿を原稿を読み取るためには、透過原稿に光を透過させる必要があり、原稿面の上側に光源を設ける構成が採られるためである。
【００１６】
図１３はフィルムホルダ２２１が収納されたスポンジフレーム２２ａを示す模式的斜視図であり、図１４は図１３においてスポンジフレーム２２ａからフィルムホルダ２２１を取り外した状態を示す模式的斜視図である。図１０、図１３及び図１４において、圧板２１にはスポンジフレーム２２ａが着脱可能に取り付けられ、スポンジフレーム２２ａには圧着シートである圧板白シート２２が取り付けられている。圧板２１から取外したスポンジフレーム２２ａにはフィルムホルダ２２１が保持片２２ｂ、保持溝２２ｃ、２２ｄなどの保持手段によって保持されて収納されており、図１４のようにフィルムホルダ２２１をスポンジフレーム２２ａから取り外すことができる。
【００１７】
図１５は、図１０及び図１２のスキャナ部２においてフィルム等の透過原稿を読み取る準備をしている状態を示す模式的斜視図である。図１５において、取り外したフィルムホルダ２２１をガラス２３の上にセットし、固定部材２２１ａを上にあげてネガフィルム等の透過原稿をフィルムホルダ２２１の上にセットする。透過原稿をセットした後、固定部材２２１ａを下に下げて透過原稿を固定する。その後に圧板２１を閉めることで、フィルム等を読み取るための準備が完了する。本実施形態においては、フィルムの種類に応じて複数種類のフィルムホルダが使用される場合は、複数種類のフィルムホルダのうちの少なくとも１つをスポンジフレーム２２ａに取り付けることができるようになっている。
【００１８】
次に、スキャナユニット２を画像読取装置（画像読取記録装置）の本体に取り付けている構造について説明する。図１６はスキャナ部２を装置本体に取り付ける構成を示す模式的斜視図であり、図１７は装置本体に対してスキャナ部２を開いた状態を示す模式的側面図である。図１８は、装置本体に対してスキャナ部２を開いた状態に保持するためのロック機構を示す模式的斜視図であり、図１９は装置本体とスキャナ部２との間のリンク部材２２２の各種の位置における状態を示す模式的縦断面図である。図２０は、スキャナ部２を装置本体に回動可能に連結するヒンジのロック構造を示す部分拡大縦断面図である。
【００１９】
スキャナユニット２の左右には、図１６に示すように、リンク部材２２２（２２２ａ、２２２ｂ）が取り付けられている。スキャナユニット２を開けたときには、図１７及び図１８に示すように、スキャナフレーム１２０のヒンジ部１２０ａは装置本体側のミドルフレーム２３１の軸受部２３１ｂに入っている。また、リンク２２２ａがミドルフレーム２３１の突き当て部２３１ａに乗るようにロックされることで、スキャナユニット２の矢印Ｄ方向への移動（閉じ方向の移動）が規制されている。
【００２０】
図１９において、図１７及び図１８のスキャナ部２の開き状態では、（１）に示すようにリンク２２２はミドルフレーム２３１の突き当て部２３１ａの上に乗っている。この（１）の状態から、図１７中の矢印Ｄの方向へ一定以上の力がかかると、ロックが外れ、スキャナ部２は図１９の（２）から（３）の順に沈んでいき（閉じていき）、そして図１９の（４）に示す通常の閉じ状態になる。図２０は、スキャナ部２の図１７中の矢印Ｅ方向（開き方向）へのロック機構を示す。図２０において、スキャナフレーム１２０のロック部１２０ｂと、ミドルフレームのロック部２３１ｃとが噛み合うことで、スキャナ部２が図１７の状態から矢印Ｅ方向（開き方向）へ回動することが阻止されている。このような構成を採ることにより、リンク部２２２に矢印Ｅ方向のロックを設けた場合に比べて、リンク２２２をあらかじめ固定部に引っ掛ける必要がなく、組立を容易にすることができる。
【００２１】
次に、記録部３について説明する。図２において、記録紙は、記録部３の内部を図示の左側から右側へ向けて搬送される。すなわち、中板３６上に積載された記録紙は不図示のカムにより押し上げられて給紙ローラ３４に圧接されており、該給紙ローラ３４の回転により押し出される記録紙は分離ローラ３５との協働により１枚に分離され、分離された１枚の記録紙が記録部３の内部へ給送される。この分離機構は、実際に駆動されるのは給紙ローラ３４で、分離ローラ３５は回転方向に一定以上のトルクがかからないと回転しないようになっている。そして、複数枚の記録紙がこのローラ間に入ったとき、記録紙を分離する力より分離ローラ３５を回転させる力の方が大きいので、記録紙を１枚ずつ搬送することができる。これらのローラ３４、３５で分離された記録紙は、搬送ローラ３７ａへ給送された後、該搬送ローラ３７ａとピンチローラ３７ｂにより一定速度で記録ヘッドによる画像形成部を通して搬送される。
【００２２】
図２９は図１及び図２の画像読取記録装置においてスキャナ部２と補助トレイ３２とカートリッジドア１３３を開けた状態を示す模式的斜視図であり、図３１は図２９の状態の画像読取記録装置の模式的側面図である。図２９及び図３１において、記録部３には、各色の記録ヘッド（インクジェット記録ヘッド等のプリントヘッド）が一体に構成されたヘッドカートリッジ３９と各色のインクタンク３８が装着されている。ヘッドカートリッジ３９は、ガイドシャフト１３４（図２）に沿って記録紙搬送方向に垂直な方向に移動するキャリッジに搭載されており、該キャリッジとともに主走査移動しながら記録紙に画像を形成（記録）していく。
【００２３】
記録された記録紙は排紙ローラ対１３０（図２）により排紙トレイ１３１上へ排出される。なお、排紙トレイ１３１は、記録動作の開始とともに矢印Ｇ方向（図３１）に自動的に開くようになっている。これにより、ユーザが排紙トレイ１３１を開き忘れて記録紙をジャムさせることを防止することができる。排紙トレイ１３１に関しては、スキャナ部２を矢印Ｆ方向（図３１）に上げる（開く）ことによっても、自動的に矢印Ｇ（図３１）の方向に開くようになっている。この場合は、後述する電気基板ユニットの説明の原理により自動的に開くことができる。
【００２４】
次に排紙トレイ１３１の自動開閉機構について説明する。図２１は図１及び図２の画像読取記録装置の排紙トレイ１３１の開閉機構の模式的斜視図であり、図２２は図２１の開閉機構の開閉ユニット３００を拡大して示す模式的斜視図である。図２３は図２１及び図２２に示す開閉機構３００の模式的縦断面図である。図２４は図１及び図２の画像読取装置において排紙トレイ１３１及びカートリッジドア１３３を開いた状態を示す模式的斜視図である。図２１において、排紙トレイ１３１の回動中心の片側が開閉ユニット３００に接続されている。図２１及び図２２において、カムギア３０２は排紙トレイ１３１に連結されており、カムギア３０２の回転角度と排紙トレイ１３１の回転角度は一定の比率に同期している。
【００２５】
排紙トレイ１３１が閉じた状態では、ねじりコイルバネ３０３により排紙トレイ１３１は開方向に押圧されている。ただし、ソレノイド３０１の可動板３０１ａがカムギア３０２の段差部３０２ａにかかっているため、閉じた状態に保持されている。電気信号によりソレノイド３０１が作動し、可動板３０１ａが矢印Ｈ方向（図２３）に動くと、カムギア３０２が付圧されているため、矢印Ｉ方向（図２３）に回転する。カムギア３０２は、最初、ねじりコイルバネ３０３により付圧されているが、開き動作の途中で付圧がなくなるようにしてある。これは、排紙トレイ１３１がその自重により開くことができるためである。
【００２６】
また、カムギア３０２は、開き動作の途中からアイドラギア３０６を介してオイルダンパー３０４と噛み合うようになる。これにより、排紙トレイ１３１が開く速度が遅くなり、排紙トレイ１３１が着地したときの衝撃音を低減することができる。また、排紙トレイキー３０５を外部から矢印Ｊ（図２３）方向に押すことで、ソレノイド３０１の可動板３０１ａを外部から電気的ではなく手動で操作することができる。このような排紙トレイキー３０５の手動操作によって、カムギア３０２ａのロックを解除することができ、排紙トレイ１３１を開くことができる。
【００２７】
インクタンク３８（図２９）を交換する際、以上のような排紙トレイ１３１の自動開閉機構により、先ずスキャナ部２を矢印Ｆ（図３１）方向に上げる。これにより、前述の自動開閉機構によって排紙トレイ１３１が開かれる。次に、カートリッジドア１３３を図２４に示すように開けることにより、ユーザがインクタンク３８を交換できる位置に移動する。この状態で、ユーザは外部からインクタンク３８を交換することができる。
【００２８】
なお、本実施形態では、記録部３における記録手段として、吐出口から記録媒体（記録紙）へインクを吐出して記録を行うインクジェット記録ヘッドを使用する場合を例に挙げている。このようなインクジェット記録方式の中でも、インク吐出を行わせるために利用されるエネルギーとして熱エネルギーを発生する手段（例えば電気熱変換体やレーザ光等）を備え、熱エネルギーによりインクの状態変化を生起させる方式のものは、記録の高密度化及び高精細化が達成できる点で好ましい。その代表的な構成や原理については、例えば、米国特許第４７２３１２９号明細書、同第４７４０７９６号明細書に開示されている基本的な原理を用いるものが好ましい。
【００２９】
これらの特許に開示されている方式は、オンデマンド型及びコンティニュアス型のいずれにも適用可能である。特に、オンデマンド型の場合には、液体（インク）が保持されている液路に対応して配置されている電気熱変換体に、記録情報に対応していて膜沸騰を越える急速な温度上昇を与える少なくとも１つの駆動信号を印加することによって、電気熱変換体に熱エネルギーを発生せしめる。そして、この熱エネルギーにより記録ヘッドの熱作用面に膜沸騰を生じさせ、上記駆動信号に１対１で対応したインク内の気泡を形成できる点で有効である。
【００３０】
この気泡の成長及び収縮により吐出口からインクを吐出させることで、少なくとも１つの飛翔インク滴を形成する。上記駆動信号をパルス形状にすると、即時適切に気泡の成長収縮が行われるので、特に応答性に優れたインク吐出が達成できる。このパルス形状の駆動信号としては、米国特許第４４６３３５９号明細書、同第４３４５２６２号明細書に記載されているようなものが適している。また、上記熱作用面の温度上昇率に関しては、米国特許第４３１３１２４号明細書に記載されている条件を採用することにより優れた記録を行うことができる。
【００３１】
記録ヘッドの構成としては、上述の各明細書に開示されているような吐出口、液路及び電気熱変換体の組み合わせ構成（直線状液流路または直角液流路）の他に、米国特許第４５５８３３３号明細書及び米国特許第４４５９６００号明細書に開示されている熱作用面を屈曲する領域に配置する構成を採用しても良い。加えて、複数の電気熱変換体に対して、共通するスロットを電気熱変換体の吐出部とする構成を開示する特開昭５９−１３８４６１号公報に基づいた構成としても良い。さらに、記録装置が記録できる最大記録媒体の幅に対応した長さを有するフルラインタイプの記録ヘッドとしては、上述した明細書に開示されているような複数の記録ヘッドの組み合わせによってその長さを満たす構成や、一体的に形成された１個の記録ヘッドとしての構成のいずれでも良い。
【００３２】
加えて、装置本体に装着されることで、装置本体との電気的な接続や装置本体からのインクの供給が可能になる交換自在なチップタイプの記録ヘッド、あるいは記録ヘッド自体に一体的にインクタンクが設けられたカートリッジタイプの記録ヘッドなど、どのような形態の記録ヘッドを用いても良い。また、吐出口からのインク吐出性能を適正に維持するための記録ヘッドに対する各種の回復手段や予備的な補助手段等を付加することは、安定した画像記録を確保する点で好ましいものである。
【００３３】
上記回復手段としては、記録ヘッドに対するキャッピング手段、クリーニング手段、加圧によるインク循環手段、あるいは吸引による吸引回復手段などがある。また、上記の予備的な補助手段としては、電気熱変換体あるいはこれとは別の加熱素子あるいはこれらを組み合わせるによる予備加熱手段、あるいは、記録とは別の吐出を行う予備吐出モードを行うことも安定した記録を行うために有効である。さらに、記録装置の記録モードとしては黒色等の主流色のみの記録モードだけではなく、記録ヘッドを一体的に構成するか複数個の組み合わせによっても良いが、異なる色の複数色カラー記録あるいは混色によるフルカラー記録を利用した、一体型あるいは独立型の記録ヘッドを用いる複数色記録モードも同様に実施することができる。
【００３４】
次に電気基板部（電気基板ユニット）４と全体レイアウトについて説明する。図２５は図１及び図２の画像読取記録装置の電気基板ユニット４の全体を示す模式的斜視図である。図２６は図２５の電気基板部４を構成する電気基板の組立方法を示す模式的斜視図であり、図２７は図２６の電気基板にＰＣＢカバーを組み付ける状態を示す模式的斜視図であり、図２８は図２７の組み立て体にフォトインタラプタを取り付ける状態を示す模式的斜視図である。電気基板ユニット（電気基板部）４の組立に際しては、図２６に示すように、先ず、金属製のＰＣＢホルダ４０１に制御基板４０２とカード基板４０３を取り付ける。
【００３５】
次に、図２７に示すように、難燃性の高いプラスチック材料でできているＰＣＢカバー４０４を取り付ける。これにより、電気基板４０２、４０３を難燃性カバーで完全に覆うことができる。また、図２８に示すように、上記ＰＣＢカバー４０４の上にフォトインタラプタ４０５を取り付ける。このフォトインタラプタ４０５は、図２９に示すようにスキャナ部２を開けたことを検知するためのセンサである。図３０はフォトインタラプタ４０５を含むスキャナ開閉検知手段を示す模式的斜視図である。図３０に示すように、スキャナ部２が閉じているときは、ミドルフレーム２３１に取り付けられたセンサレバー４０６をスキャナフレーム１２０の突起部１２０ｄが押し込むことにより、フォトインタラプタ４０５の検知光線が遮断されている。これにより、インク交換の際のキャリッジの移動に対応している。
【００３６】
図３２は、装置本体に装着された図２５に示す電気基板部４を覆う外装の一部を構成するサイドカバー１５１を組み付ける状態を示す模式的斜視図である。図３３は、装置本体に組み付けられた電気基板部４にカード基板カバー１５２を組み付ける状態を示す模式的斜視図であり、図３４は図３３中のカード基板カバー１５２の裏面を示す模式的斜視図である。図３２〜図３４において、電気基板部４のカード基板４０３に実装されているメモリカードスロット４０３ａ、４０３ｂの入口の幅は約１ｍｍ程度しかないため、これらのメモリカードスロットをサイドカバー１５２と一体に形成すると、孔位置がずれる可能性がある。
【００３７】
そのため、本実施形態では、サイドカバー１５２とは別の部品であるカード基板カバー１５２を使用し、カード基板４０３を直接的に止めているＰＣＢホルダ４０１の孔４０１ａ、４０１ｂに、カード基板カバー１５２の裏面に形成されたボス１５２ａ、１５２ｂ（図３４）を差し込むことにより位置決めする構成が採られている。このような位置決め構成により位置決めした状態で、カード基板カバー１５２を、その裏面に設けられた爪１５２ｃ、１５２ｄ、１５２ｅ、１５２ｆで電気基板ユニット（電気基板部）４に固定することにより、カード基板カバー１５２のカード孔１５２ｇ、１５２ｈと電気基板ユニット４のカード基板４０３のメモリカードスロット４０３ａ、４０３ｂとの精確な位置合わせを容易に行うことができる。
【００３８】
次に、本実施形態に係る画像読取記録装置のオペレーションの一例について説明する。図３に示すパネル部１の各種のキー１３を選択的に操作することにより、画像読取記録装置を動作させる。以下に、コピーを行うときの操作を例に挙げて説明する。先ず、電源キー１３ｆを押し、機能キー１３ｅでコピーキー１３ｅ−１を選択する。次いで、メニューキー１３ｄ−１で画質や記録メディアを選択し、矢印キー１３ｄ−２でコピー枚数を設定する。その後、圧板２１（図２）を開けてコピーしたい原稿をガラス２３の上にセットする。また、記録紙を補助トレイ３２（図２）にセットする。最後に、カラーコピーするときはカラースタートキー１３ａを押し、モノクロコピーをするときはモノクロスタートキー１３ｂを押す。
【００３９】
このように、パネル部１のキー１３は、操作する順番に左から右に操作することにより、全ての操作を抜けなく自然に行うことができるように配置されている。操作方法の一例として、コピーする場合を説明したが、最初の機能キー１３ｅでスキャンを選択すると、ＵＳＢを通じて接続されているＰＣからのスキャン操作を行うことができる。また、写真を選択すると、前述のカードスロット部５（図１）においてカード孔１５２ｇ、１５２ｈを通してメモリカードスロット４０３ａ、４０３ｂに挿入されているメモリカードの画像を直接記録部３に記録させることができる。
【００４０】
以上説明した実施形態によれば、透過原稿を読み取ることができ、かつ反射原稿を読み取るために圧着シート２２を有する画像読取装置において、透過原稿を保持するフィルムホルダ２２１をスポンジフレーム２２ａに取り付けて収納するので、フィルムホルダの紛失や破損を防ぐことができ、フィルムホルダの着脱する際の作業性が良く、フィルムホルダの重量による原稿の浮きを軽減することができる画像読取装置が提供される。また、圧着シート２２をスポンジフレームに保持するとともに、透過原稿用光源ユニット２１ａから取り外し可能にしたので、一層効率よく上記効果を達成することができる。さらに、複数種類のフィルムホルダ２２１のうち少なくとも１つをスポンジフレーム２２ａに取り付けるようにしたので、上記効果をさらに顕著なものにすることができる。
【００４１】
つまり、圧着シート２２を取り外すと同時にフィルムホルダ２２１を透過原稿用光源ユニット（ＦＡＵ）２１ａから取り外すことができるので：ユーザの手元でフィルムホルダ２２１の着脱作業を効率よく行うことができる。また、圧着シート２２の裏面には空洞ができるものの、フィルムホルダ２２１がスポンジフレーム２２ａに取り付けられていることにより、フィルムホルダ２２１の重量により原稿の浮きを軽減することができる。
【００４２】
なお、本発明に係る画像読取装置は、その記録部が記録ヘッドで主走査しながら記録するシリアルタイプの記録装置の他、記録シートの全幅又は一部をカバーする長さの記録ヘッドを用いて副走査のみで記録するラインタイプの記録装置など、記録の際の走査方式に関わらず広く適用可能なものであり、同様の作用効果を奏するものである。また、本発明は、インクを付着させて記録するインクジェット記録装置において特に有効であるが、熱転写式、レーザビーム照射式、ワイヤドット式などの他の記録方式の記録装置においても、同様に適用可能なものであり、同様の作用効果を奏するものである。
【００４３】
また、本発明は、インクジェット記録装置の場合、１個の記録ヘッドを用いる記録装置、異なる色のインクで記録する複数の記録ヘッドを用いるカラー記録装置、あるいは同一色彩で異なる濃度で記録する複数の記録ヘッドを用いる階調記録装置、さらには、これらを組み合わせた記録装置の場合にも、同様に適用することができ、同様の効果を達成し得るものである。さらに、本発明は、記録ヘッドとインクタンクを一体化した交換可能なインクカートリッジを用いる構成、記録手段とインクタンクを別体にし、その間をインク供給用チューブ等で接続する構成など、記録ヘッドとインクタンクの配置構成がどのような場合にも同様に適用することができ、同様の効果が得られるものである。
【図面の簡単な説明】
【００４４】
【図１】本発明の一実施形態に係る画像読取装置の模式的斜視図である。
【図２】図１の画像読取装置の縦断面図である。
【図３】図２の画像読取装置のパネル部の模式的斜視図である。
【図４】図３のパネル部においてＬＣＤユニットを立てた状態を示す模式的斜視図である。
【図５】図３のパネル部のＬＣＤの回動ストッパを示すための模式的斜視図である。
【図６】図５のパネル部のＬＣＤの回動ストッパを別の角度から見た模式的斜視図である。
【図７】図３のパネル部の十字キーの模式的斜視図である。
【図８】図７の十字キーの模式的分解斜視図である。
【図９】図３のパネル部のＬＣＤユニット１２を立てたときの平面図である。
【図１０】図２中のスキャナ部に原稿をセットするときの状態を示す模式的斜視図である。
【図１１】図１０のスキャナ部においてガラス及びカバーを外してスキャナ内部の構造がわかるようにした模式的斜視図である。
【図１２】図１０のスキャナ部において、スポンジフレームを取り外し、圧板の一部である透過原稿用光源ユニットを露出させた状態を示す模式的斜視図である。
【図１３】フィルムホルダが収納されたスポンジフレームを示す模式的斜視図である。
【図１４】図１３においてスポンジフレームからフィルムホルダを取り外した状態を示す模式的斜視図である。
【図１５】図１０及び図１２のスキャナ部においてフィルム等の透過原稿を読み取る準備をしている状態を示す模式的斜視図である。
【図１６】スキャナ部を装置本体に取り付ける構成を示す模式的斜視図である。
【図１７】装置本体に対してスキャナ部を開いた状態を示す模式的側面図である。
【図１８】装置本体に対してスキャナ部を開いた状態に保持するためのロック機構を示す模式的斜視図である。
【図１９】装置本体とスキャナ部との間のリンク部材の各種の位置における状態を示す模式的縦断面図である。
【図２０】スキャナ部を装置本体に回動可能に連結するヒンジのロック構造を示す部分拡大縦断面図である。
【図２１】図１及び図２の画像読取記録装置の排紙トレイの開閉機構の模式的斜視図である。
【図２２】図２１の開閉機構の開閉ユニットを拡大して示す模式的斜視図である。
【図２３】図２１及び図２２に示す開閉機構の模式的縦断面図である。
【図２４】図１及び図２の画像読取装置において排紙トレイ及びカートリッジドアを開いた状態を示す模式的斜視図である。
【図２５】図１及び図２の画像読取記録装置の電気基板部の全体を示す模式的斜視図である。
【図２６】図２５の電気基板部を構成する電気基板の組立方法を示す模式的斜視図である。
【図２７】図２６の電気基板にＰＣＢカバーを組み付ける状態を示す模式的斜視図である。
【図２８】図２７の組み立て体にフォトインタラプタを取り付ける状態を示す模式的斜視図である。
【図２９】図１及び図２の画像読取記録装置においてスキャナ部と補助トレイとカートリッジドアを開けた状態を示す模式的斜視図である。
【図３０】本実施形態におけるスキャナ部の開閉を検知するためのフォトインタラプタを含むスキャナ開閉検知手段を示す模式的斜視図である。
【図３１】図２９の状態の画像読取記録装置の模式的側面図である。
【図３２】装置本体に装着された図２５に示す電気基板部を覆う外装の一部を構成するサイドカバーを組み付ける状態を示す模式的斜視図である。
【図３３】装置本体に組み付けられた電気基板部にカード基板カバーを組み付ける状態を示す模式的斜視図である。
【図３４】図３３中のカード基板カバーの裏面を示す模式的斜視図である。
【符号の説明】
【００４５】
１        パネル部
２        スキャナ部
３        記録部
４        電気基板部
５        カードスロット部
１１ａ、１１ｂ    パネルカバー
１１ｃ    ストッパ溝
１１ｄ    隙間
１２      ＬＣＤユニット
１２ａ    ＬＣＤ窓
１２ｃ    ストッパリブ
１３      キー
１３ｄ    十字キー
１３ｅ    機能キー（モードキー）
１３ｆ    電源キー
１６ａ、１６ｂ    パネル基板
２１      圧板
２１ａ    透過原稿用光源ユニット（面発光部）
２２      圧着シート（圧板白シート）
２２ａ    スポンジフレーム
２３      ガラス
２４      ＣＣＤ読取ユニット
２５      軸
２６      タイミングベルト
３２      補助トレイ
３４      給紙ローラ
３５      分離ローラ
３６      中板
３７ａ    搬送ローラ
３７ｂ    ピンチローラ
３８      インクタンク
３９      カートリッジ
４１      制御基板
４２      カートリッジドア用フォトインタラプタ
４４      中継基板
４５      電源
１２０    スキャナフレーム
１２０ａ  ヒンジ部
１２０ｄ  突起部
１２１    レール
１２２    駆動ギア
１２４    ヒンジ
１２５    カバー
１５１    サイドカバー
１５２    カード基板カバー
１５２ａ、１５２ｂ    ボス
１５２ｃ、１５２ｄ、１５２ｅ、１５２ｆ    爪
１５２ｇ、１５２ｈ    カード孔
２２１    フィルムホルダ
２２１ａ  固定部材
２２２ａ、２２２ｂ  リンク部材
２３１    ミドルフレーム
２３１ａ  突き当て部
２３１ｂ  軸受部
２３１ｃ  ロック部
３００    開閉ユニット
３０１    ソレノイド
３０１ａ  可動板
３０２    カムギア
３０２ａ  段差部
３０３    ねじりコイルバネ
３０４    オイルダンパー
３０５    排紙トレイキー
１３０    排紙ローラ対
１３１    排紙トレイ
１３３    カートリッジドア
４０１    ＰＣＢホルダ
４０１ａ、４０１ｂ    ＰＣＢホルダの孔
４０２    制御基板
４０３    カード基板
４０３ａ、４０３ｂ    メモリカードスロット
４０４    ＰＣＢカバー
４０５    フォトインタラプタ
４０６    センサレバー
【図１】
2006078717.tif 000003
【図２】
2006078717.tif 000004
【図３】
2006078717.tif 000005
【図４】
2006078717.tif 000006
【図５】
2006078717.tif 000007
【図６】
2006078717.tif 000008
【図７】
2006078717.tif 000009
【図８】
2006078717.tif 000010
【図９】
2006078717.tif 000011
【図１０】
2006078717.tif 000012
【図１１】
2006078717.tif 000013
【図１２】
2006078717.tif 000014
【図１３】
2006078717.tif 000015
【図１４】
2006078717.tif 000016
【図１５】
2006078717.tif 000017
【図１６】
2006078717.tif 000018
【図１７】
2006078717.tif 000019
【図１８】
2006078717.tif 000020
【図１９】
2006078717.tif 000021
【図２０】
2006078717.tif 000022
【図２１】
2006078717.tif 000023
【図２２】
2006078717.tif 000024
【図２３】
2006078717.tif 000025
【図２４】
2006078717.tif 000026
【図２５】
2006078717.tif 000027
【図２６】
2006078717.tif 000028
【図２７】
2006078717.tif 000029
【図２８】
2006078717.tif 000030
【図２９】
2006078717.tif 000031
【図３０】
2006078717.tif 000032
【図３１】
2006078717.tif 000033
【図３２】
2006078717.tif 000034
【図３３】
2006078717.tif 000035
【図３４】
2006078717.tif 000036